(57)【特許請求の範囲】
【請求項１】
画像読み取り部の原稿載置面に対向するように、一端側に取付けら  れたヒンジ機構により回動し開閉可能に配置される原稿押え装置において、前記  ヒンジ機構は原稿押え装置の本体と連結し、前記原稿押え装置を前記原稿載置面  に対向して接する閉位置と略９０°回動した開位置の間を回動可能に支持する第  １の支軸と、画像読み取り部に設けられた支持部材と連結して前記第１の支軸を  原稿載置面に対して上方に移動可能に支持する第２の支軸と、
一端側が前記原稿押え装置の本体に形成される前記第１の支軸と連結し、その他 端側は前記原稿押え装置が取り付けられる画像読み取り手段に取付けられた前記 第２の支軸に連結する連結部材を有し、
前記連結部材には湾曲形状を有する舌片が形成され、前記原稿押え装置を前記開 位置から閉じる際に、前記舌片が弾性変形により前記原稿押え装置のハウジング を形成する基材の一部と接触して抵抗力を付与するストッパ手段を有することを  特徴とする原稿押え装置。
【請求項２】
前記ヒンジ機構は、前記原稿押え装置を前記開位置に開いた状態か  ら、閉じ方向に移動する際に、一時的に前記第１の支軸が前記原稿載置面から上  方に移動するのを規制する構造を有することを特徴とする請求項１に記載の原稿  押え装置。
【請求項３】
前記原稿押え装置に形成された前記第１の支軸には、軸部材が挿通  する穴を有するリブが、軸方向において前記連結部材の両側と、そこから一定間  隔離れた少なくとも１ヶ所に設けられていることを特徴とする請求項１乃至２に  記載の原稿押え装置。
【請求項４】
前記第１の支軸に設けられる複数の前記リブのうち少なくとも一つ  が、前記原稿押え装置が取付けられた画像読み取り手段に設けられる安全スイッ  チを、前記原稿押え装置が閉状態において、電気的に連結させる作用片であるこ  とを特徴とする請求項３に記載の原稿押え装置。
【発明の詳細な説明】
【０００１】
【発明の属する技術分野】
本発明は画像形成装置や画像読み取り装置などに設けられる画像読取り部において、コンタクトガラスに対向するように開閉自在に設けられる原稿押え装置の支持機構に関するものである。
【０００２】
【従来の技術】
複写機などの画像形成装置やスキャナーなどの画像読み取り装置に設けられる原稿押え装置は、画像読取り部の本体の一端部に旋回可能に連結され、原稿載置面（コンタクトガラス）に対向して接する閉位置と上方に旋回して退避する開位置に開閉可能である。従来の原稿押え装置には、原稿を押えるための白色シートが貼りつけられた板形状であり比較的軽量のものや、コンタクトガラス上への原稿の自動給紙手段や原稿の反転手段を備えた比較的に重量の重いものがある。後者の重量の大きな原稿押え装置では装置を開放方向に付勢させる付勢手段が設けられ、装置本体との重量バランスをとることで開閉動作を軽く且つ楽に行なわせることが行なわれている。また、原稿押え装置は一端部を支点に旋回するため、開閉途中の旋回角度によって本体の落下方向に作用する重力が変化したり、付勢手段の付勢力が旋回角度で変化するために重量バランスが変化するのを補正するために、特開平８−１０１４６６に示されるような、第２の付勢手段とカム機構を用いた原稿押え装置も提案されている。しかし、これらの支持機構はコストがかかるために、比較的に軽量で開閉動作が比較的楽な原稿押え装置ではそのような機構が設けられていない場合が多い。
また、画像読み取り手段では書籍などの厚みのある原稿を読み込む場合もある。このような場合には、原稿の書籍の厚みに応じて原稿押え装置が原稿載置台から平行に浮いた状態で支持できるものであると操作性が良い。
【０００３】
【発明が解決しようとする課題】
従来の付勢手段が設けられていない原稿押え装置では、画像読取り部の本体との取りつけは、互いの本体に設けられた支持部材などに設けられた支点が連結されて旋回可能になっているだけであった。この場合、原稿押え装置が比較的軽量であるため開閉するのに支障はないが、開いた状態で停止させるためには９０度以上に旋回させて重力が後方に作用する位置で停止させなければならない。この停止位置を大きく後方にすると、開閉時に手を後に伸ばさねばならず操作性が悪くなる。また、後方に倒す重力が大きくなるので支点部の支持機構に大きな力が作用して破損する危険性が増加するなどの問題があり、できるだけ垂直に近い方が望ましい。しかし、垂直に近い位置で停止させようとすると、停止位置の少し手前で手を離したり原稿押え装置本体の撓みや支持機構部の撓みによる反動で前に移動した場合に重力の作用する方向が支点よりも前方に変わって止めることができない。
【０００４】
付勢手段を用いて重量バランスをとる方法もあるが、支持機構に大きなスペースが必要であり、またコストが高くなるなどの問題がある。本発明は、このような実情に鑑みてなされたものであって、付勢手段などを利用することなく簡単で安価な方法により、原稿押えの開閉時における問題点を解決して操作性の高い原稿押え装置を提供するものである。
【０００５】
また、原稿押え装置を原稿載置台に対して上方に一定高さの範囲で平行に移動することを可能にして、書籍などの厚い原稿を読み取る際の操作性がよい原稿押え装置を提供するものである。
【０００６】
【課題を解決するための手段】
上記の目的を達成するため、本発明の請求項  １に記載の原稿押え装置は、画像読み取り部の原稿載置面に対向するように、一  端側に取付けられたヒンジ機構により回動し開閉可能に配置される原稿押え装置  において、前記ヒンジ機構は原稿押え装置の本体と連結し、前記原稿押え装置を  前記原稿載置面に対向して接する閉位置と略９０°回動した開位置の間を回動可  能に支持する第１の支軸と、画像読み取り部に設けられた支持部材と連結して前  記第１の支軸を原稿載置面に対して上方に移動可能に支持する第２の支軸と、一 端側が前記原稿押え装置の本体に形成される前記第１の支軸と連結し、その他端 側は前記原稿押え装置が取り付けられる画像読み取り手段に取付けられた前記第 ２の支軸に連結する連結部材を有し、前記連結部材には湾曲形状を有する舌片が 形成され、前記原稿押え装置を前記開位置から閉じる際に、前記舌片が弾性変形 により前記原稿押え装置のハウジングを形成する基材の一部と接触して抵抗力を  付与するストッパ手段を有することを特徴としている。これにより、バネなどの 部品を用いることなく安価な構成により、原稿押え装置を原稿載置台に対して開 放した位置において、閉じる方向に移動しようとするのに対して摩擦力を作用さ せることが可能になる。
【０００７】
請求項２に記載の発明において、ヒンジ機構は原稿押え装置を開位置に開いた状態から、閉じ方向に移動する際に、一時的に第１の支軸が原稿載置面から上方に移動するのを規制する構造を有することを特徴としている。これにより、原稿押え装置を閉じる際に、その回動支点となる支軸が移動することがなく固定されるため、閉じるのに対する抵抗力が作用しても滑らかに操作することが可能である。また、支軸の移動は一時的に規制され、閉じた状態では規制が解除された状態になるため、厚い原稿を押えるときには支軸が移動して、画像読取り部の原稿載置面に対して原稿押え装置が平行に浮き上がった状態で支持することが可能である。
【０００９】
請求項３に記載の発明において、ヒンジ機構の原稿押え装置に形成  される第１の支軸には、第１の支軸が挿通する穴を有するリブが、軸方向において  ヒンジ機構を構成する連結部材の両側と、そこから一定間隔離れた少なくとも１ヶ  所に設けられていることを特徴としている。これにより、原稿押え装置の本体を構  成する部材に、外観を損ねることなく薄いリブを形成することにより、ヒンジ機構  を結するのに十分な強度を有する支軸を形成することが可能である。
【００１０】
請求項４に記載の発明において、原稿押え装置の本体において第１  の支軸を支持する複数のリブのうち少なくとも一つが、原稿押え装置が取付けられ  た画像読み取り手段に設けられる安全スイッチを、原稿押え装置が閉状態において  電気的に接続させる作用片であることを特徴としている。原稿押え装置が開くと作  用片は安全スイッチから離れて電気的に接続がオフとなるために、自動原稿搬送手  段の駆動が作動したり、間違って読み取り操作や画像形成動作が開始することが防  止される。作用片が原稿押え装置が開閉する支軸を支持するリブであるため、開閉  の動作に応じて正確に作動することが可能になる。また、金型の簡略化によるコス  ト低減も図れる。
【００１１】
【発明の実施の形態】
以下、本発明に関して複写装置における実施の形態について図面を参照して説明する。尚、以下の実施の形態及び実施例は本発明を具体化した一例であって、本発明の技術的範囲を限定する性格のものではない。
【００１２】
図１は本発明の原稿押え装置４が取り付けられた画像形成装置１の構成を示す断面図である。画像形成装置１は電子写真方式の複写装置であり、装置の上部には原稿を載置するためのコンタクトガラス３などが設けられ画像読取り部２が設けられている。画像読取り部２には原稿押え装置４がヒンジ機構により装着されている。
【００１３】
図２は、原稿押え装置４の主要な構成を示す断面図である。また、図３は図２に示す原稿押え装置４を上方からみて主要な構成を示した平面図である。原稿押え装置４は、ＡＢＳなどの樹脂材料により矩形形状に成形されたハウジング１０に対して、後部側の左右に２箇所でヒンジ機構２０を介して画像読取り部２の上面後部に旋回可能に装着される。これにより、原稿押え装置４は画像読取り部２の上面全体を覆う閉位置（図１の状態）と、上方に回動して画像読取部２の上面全体を開放する開位置とに移動可能になっている。ヒンジ機構２０の詳細な構成については後ほど説明する。
【００１４】
ハウジング１０のコンタクトガラス３に対向する側の面には大部分の面積を占めて原稿マット１１が表面に接着手段等を用いて取り付けられている。原稿マット１１は、スポンジなどで形成されたクッション層１１１に、コンタクトガラス３の表面に密着し得るような適度な可撓性乃至柔軟性を有するプラスチック材料、例えばポリエチレン、ポリプロピレン、エチレン−ビニルアルコール共重合体などのポリオレフィンや各種ポリエステル、ポリ塩化ビニルなどから形成されている。スポンジ等の樹脂発泡体、ゴム、各種の熱可塑性エラストマーなどから形成された白色シート１１２が接着されたものである。原稿押え装置１が閉位置にあるとき、装置の自重により白色シート１１２はコンタクトガラス３に接触し、その上に原稿が載置されている場合には原稿の画像面をコンタクトガラス３に密着させる作用をもたらす。
【００１５】
ハウジング１０の左方には原稿搬送手段１２が設けられている。原稿搬送手段１２には２つの搬送ローラ１２１が画像読取り部２の前後方向に一定の間隔で平行に配置されており、それぞれの搬送ローラ１２１には搬送コロ１２２が押圧付勢されており、間隔部には原稿ガイド１２４が設けられている。また、搬送ローラ１２１の軸には、後部側において駆動入力手段１２３が設けられている。原稿押え装置４が閉位置にあるとき、駆動入力手段１２３を構成するギアの１つは、画像読取り部２の内部の光源を走査させる読取駆動系（図示せず）に設けられたギアと連結するとともに、原稿ガイド１２４とコンタクトガラス３との間には搬送路１２６が形成される。右側の搬送ローラの右方近傍には搬送路１２６に挿入される原稿の有無を検知する光学スイッチ１２５が設けられている。光学スイッチ１２５の信号線は、後方の適宜の位置にて画像形成装置本体の制御基板に連結する中継線とコネクタで連結される。
【００１６】
次に、原稿押え装置４と画像読取り部２の動作について簡単に説明する。読取駆動系は電気的クラッチにより、読取部の光源を移動する駆動手段を回転させる固定読取りの場合と、原稿押え装置４の搬送ローラ１２１の駆動入力手段１２３と連結するギアを回転するシートスルー読取りの場合に切り変えられる。光源のホームポジション（ＨＰ）には光源の位置検知スイッチが設けられており、光源は常にＨＰの位置に待機するように制御されている。画像形成装置１のスタートボタンが押されると、画像読取り部２ではタイミングを合わせて固定読取が行われる。一方、原稿押え装置４において、シート原稿を搬送路１２６に挿入すると、検知スイッチで用紙が検知された時点で画像形成装置の制御部はシートスルー読取りと判断し、一定タイミング後に２つの搬送ローラ１２１を同方向（図２にて時計回り）に同時に同速度で回転し、右方の搬送ローラの上流から挿入される原稿ガイド１２４に沿って一定速度で左方に搬送する。このとき、画像読取り部２の光源はコンタクトガラスを挟んで原稿ガイド１２４の下方に停止しており、上を移動する原稿を露光する。また、画像読取り部２には原稿押え装置４の開閉を検知するための安全スイッチ（図示せず）が設けられている。安全スイッチは光学式のセンサーであり、原稿押え装置４の開閉に連動して検知片がセンサーの光路に移動・退避してオンオフし、画像読取り部２側に設けられた制御回路に入力され、それに基づき原稿搬送手段１２の動作が制御される。
【００１７】
次に、本発明に関わるヒンジ機構２０の構造について図４乃至７を用いて説明する。図４は本発明のヒンジ機構２０に関して、実施例の１つの構成を断面図で示している。原稿押え装置４には２箇所にヒンジ機構２０が設けられているが、どちらも同様の構成となっている。実施例において、ヒンジ機構２０を構成する部材は、支持部材２１と連結部材２０の２つである。支持部材２１は画像読取り部２の上面に固定し、連結部材２２は一方が支持部材２１と第２の支軸４２と係合し、他方は原稿押え装置４のハウジング１０に形成された第１の支軸４１と係合する構成である。図５は支持部材２１の形状を示す図面であり、図６は連結部材２２の形状を示す図面である。
【００１８】
図５に示す支持部材２１は、ＰＯＭなどの樹脂材料を用いて成形された部材である。支持部材２１は、長方形で平面板形状の固定部２１１を有しており、そ長手方向の中心線上には一定距離離れた位置に係合爪２１２と、固定穴２１６が形成されている。係合爪２１２は一定幅を有する断面Ｌ形状の爪が固定部２１１の一方の平面との間に一定の隙間をなすように形成されている。固定穴２１６は、固定部２１１を貫通する貫通穴であり、平面形状において幅Ａで長さＢの長穴の中央部に直径Ｃの穴が形成されており、寸法Ａ，Ｂ、Ｃの関係はＢ＞Ｃ＞Ａとなっている。さらに、固定部２１１において先の係合爪２１２がない側の面からは、長手方向の中心線の左右に互いに一定距離離れて、側壁２１３が直角方向に平行に立設している。それぞれの側壁２１３には固定部２１１から一定高さに平行に中心線に対して直角方向の軸線上に丸穴２１４が貫通して成形されている。また、側壁２１３の丸穴２１４から離れた側の根元付近には固定部２１１に対して垂直な規制面Ｘ２１７ａと同水平に設けられた規制面Ｙ２１７ｂを有する切り欠き２１７が形成されている。
【００１９】
画像読取り部２の後部の枠体には、２箇所において支持部材２１を固定するために矩形穴とネジ穴が形成されている。支持部材２１は係合爪２１２を画像読取り部２の枠体に設けられた矩形穴に挿入してズラして、係合爪２１２で枠体を挟み込むことで一端側が固定され、もう一端側は上方から固定穴２１６にビスを挿入して固定する。このとき、画像読取り部２を上方から見て左方に取付けられる支持部材２１の固定には直径Ｃのビスもしくはその径のボス部を有するビスを用いて、固定穴２１６の位置をネジ穴に対して規制して固定する。一方、右方の支持部材２１の固定に際しては、直径Ｂのビスを使用することで、画像読取り部２に対して前後方向に一定量位置調整して固定できるようになっている。これにより、原稿押え装置１に設けられた原稿搬送手段１２の原稿搬送方向と画像読取り部２の光学系の読取り方向の角度を調整することが可能になり、部材の誤差によるズレが発生した場合にも調整可能である。
【００２０】
図６に示す連結部材２２も、ＰＯＭなどの樹脂材料を用いて成形された部材である。連結部材２２は、外形形状が略矩形状の底面部２２１と、その一方の対向する外辺から平行に側面部２２２が立設している。側面部２２２には外方に突出するボス２２３と、貫通穴２２４と、先端側の縁部に突起２２５が形成されている。また、底面部２２１の一端側（貫通穴２２４が形成される側）は、側面部２２４と連結せずにより長く伸びてＲ状に湾曲している舌片２２６が形成されている。
【００２１】
支持部材２１と連結部材２２が連結した状態は図４に示されている。連結部材２２のボス２２３の直径は、支持部材２１の側壁２１３に形成された丸穴２１４とガタなく回転自在に係合する公差に設定されており、互いの部材の弾性を利用してボス２２３を丸穴２１４に挿入すると、連結部材２２を回動自在に連結する第２の支軸４２が形成される。突起２２５は、連結部材２２が第２の支軸４２の回りに第１の方向に回転すると固定部材２１の固定部２１１に当接して回転を規制する。また、側壁２１３の内壁間隔は側面部２２２の外壁間隔に適合する寸法になっており、連結部材２２の軸方向の移動が規制される。連結部材２２の貫通穴２２４は原稿押え装置４に設けられる第１の支軸４１の軸とガタなく回転自在に係合する寸法である。また、切り欠き２１７は、第１の支軸４１を支点とする原稿押え装置４の回転と、第２の支軸４２に対する連結部材２２の、先の第１方向と逆方向の回転を規制するものである。その作用については後で説明する。
【００２２】
次に、原稿押え装置４に設けられたヒンジ機構２０との連結部について説明する。図７は原稿押え装置に設けられた第１の支軸４１の構成を示した斜視図である。図８は原稿押え装置を閉じた状態でヒンジ機構２０の構成を示した平面図である。ハウジング１０の基材１０１の後端部付近において一定距離離れた２箇所の位置にはヒンジ機構２０との連結部として、連結部材２２の側面部２２２の外面幅に合わせてリブ３０、３１が平行に立設して成形されている。更に、リブ３０、３１から平行に一定間隔離れてリブ３２、３３が同様に成形されている。４つのリブは厚さが１〜２ｍｍ程度の板状であり、それぞれのリブには同一線上に貫通穴３４が形成されている。リブの厚さを厚くすると、成形時にリブの反対側の外装面側にヒケなどが発生する問題があり、１〜２ｍｍ程度が適切である。ここで、リブ３３は画像読取り部２に設けられた安全スイッチ５を原稿押え装置４の開閉に応じてオンオフさせる検知片を兼ねているため、先端部が伸びた形状になっている。安全スイッチ５は、画像読取り部２の取付け部材に人の指が入らない程度の幅で形成されたスリット６の下方に配置されている。リブ３３はスリット６に対応する位置であり、スリット６から入って安全スイッチ５をオンオフさせる。また、リブ３０、３１の間の基材１０１には複数の突起３５が平行に形成されている。それぞれの突起３７は幅が１〜２ｍｍ程度である。ここで、連結部材２２をリブ３０、３１の間に配置して、金属材料の丸軸である軸３５が挿通穴３４と連結部材２２の貫通穴２２４に挿入され、リブ３２、３３の外側に置いて軸３５の端部にストッパ３６で固定され第１の支軸４１が構成される。これにより、ハウジング１０と連結部材２２はガタなく回動自在に連結され、軸方向への互いの動きは規制された状態になる。
【００２３】
ここで、原稿押え装置４を開閉する際のヒンジ機構２０の作用について説明する。図９は、原稿押え装置４の開閉動作におけるヒンジ機構の状態を示した図である。図９（ａ）は原稿押え装置４がコンタクトガラスに対向する閉状態であり、（ｄ）は９０°以上に開いた開状態、（ｂ）、（ｃ）はその途中の状態を示している。（ａ）の閉状態では、原稿押え装置４の自重によりコンタクトガラスに原稿マットが押圧した状態で位置付けられている。このとき、ヒンジ機構２０は連結部材２２の突起２２５が支持部材２１の固定部２１１と微小な隙間を有して位置する。また、連結部材２２の底面部２２１とハウジング１０に形成された突起３７の間にも隙間ができている状態である。原稿押え装置を開いていくと第１の支軸４１の回りに回動して（ｂ）の状態になり、突起３７が一方端から連結部材２２の舌片２２６のＲ形状部に当接して乗り上げる状態になる。このとき、舌片２２６は弾性変形して退避するが、開く動作に従って突起３７が舌片２２６に圧接して移動するために摩擦力が発生し、開く動作に対する抵抗力が発生する。更に開いた（ｃ）の状態付近では舌片２２６と突起３７の距離が最も近くなり、（ｄ）の開状態ではその距離が（ｃ）よりも若干大きくなる。
【００２４】
図９（ｄ）の状態では、複写装置１の通常の設置状態において原稿押え装置４の重心は第１の支軸４１の右側にあり、自重では倒れない位置になっている。更に開く方向への回転は、ハウジング１０の後壁１０２の先端部１０３が連結部材２２の切り欠き２１７の規制面Ｘ２１７ａに当接した状態で規制されている。また、閉じ方向に回動させると突起３７と舌片２２６との隙間が狭くなり舌片２２６を弾性変形させるため回動に対する抵抗力が作用する状態となる。これにより、開位置近傍まで開けば自動的に開位置状態に移行する力が作用するとともに、逆方向への動きを阻止する力を作用させるため、無造作に操作しても操作ミスの発生を抑える効果が実現される。
【００２５】
次に、原稿押え装置４を開位置から閉じるときの、ヒンジ機構２０の作用について説明する。開位置において、ハウジング１０の後壁１０２の先端部１０３が支持部材２１の切り欠き２１７と係合している。そのために、第１の支軸４１が第２の支軸４２の回りに回転（図９において反時計方向）しようとしても、規制面Ｙ２１７ｂ当接して動きが規制される。そのため、原稿押え装置４を開位置から閉じようとすると、先に説明した閉方向への移動に対する抵抗力に抗して第１の支軸の回りに回動する。図９（ｃ）の状態になると、先端部１０３が切り欠き２１７から外れ、第２の支軸４２の回りに回転することが可能になる。但し、（ｃ）の状態では原稿押え装置４の自重が第１の支軸４１よりも前方にあるため、第１の支軸には原稿押え装置４の自重による下方への力が作用するため、第２の支軸４２の回りに回転して浮き上がることはない。これにより、開位置から閉じる際には必ず第１の支軸４１の回りに抵抗力に抗して回転するため、先に第２の支軸４２の回りに回転して、閉じ方向に倒れることが防止される。閉じる際の動作が常に同じ状態に維持されるため、場合によって変則的な動作が発生して操作者に違和感を持たせることが防止される。また、第１の支軸４１の回りに回転せずに第２の支軸４２の回りに回転することにより、閉じた時にヒンジ機構側がコンタクトガラスから浮き上がった状態になるが、その不具合も確実に防止される。
【００２６】
また、図９に示しように、原稿押え装置４の開閉を検知するため安全スイッチ５に作用する検知片は、第１の支軸の回りに回転するリブ３３に形成されているため、より正確に作動させることが可能である。これにより、動作不良の発生をより低減することが可能である。また、原稿押え装置４の開閉時に作用する抵抗力は、突起３７の位置や形状によって容易に調整することが可能である。原稿押え装置４の形態や、装着される装置の形態に合わせて適切な操作性が得られるように設定することが容易である。
【００２７】
第２の支軸４２を設けることの作用について説明する。図１０は、書籍などの厚みのある原稿をコンタクトガラス上に載置した時の本発明のヒンジ機構の状態を示した図である。このような場合には、原稿の厚みにより原稿押え装置４はコンタクトガラスから平行に浮いた状態になるのが最適である。このとき、ヒンジ機構２０の連結部材２２が第２の支軸４２の回りに回転することにより、原稿押え装置４とヒンジ機構２０の係合部である第１の支軸４１を上方に移動させる。その結果、原稿押え装置４は原稿の厚みに応じて、コンタクトガラスから平行に浮かせた状態で支持することが可能である。このとき、第１の支軸４１とともに安全スイッチ５の検知片であるリブ３３も上方に移動してスイッチをオフ状態にするため、誤動作の発生は確実に防止される。
【００２８】
【発明の効果】
以上説明したように、本発明のヒンジ機構は簡単な構造で安価であり、それを用いた原稿押え装置は、開閉動作において安定な動作により利用者の操作性がよく、開状態を維持する物理的なストップ力を作用させるため安全性を高めることが可能である。また、書籍などの厚い原稿に対しても原稿押え装置で適切に押えることが可能である。
【図面の簡単な説明】
【図１】本発明のヒンジ機構を用いた原稿押え装置を用いた画像形成装置の断面図である。
【図２】本発明のヒンジ機構を用いた原稿押え装置の断面図である。
【図３】本発明のヒンジ機構を用いた原稿押え装置の平面図である。
【図４】本発明のヒンジ機構の構成を示す断面図である。
【図５】本発明のヒンジ機構を構成する第１の部材の形状を示す図である。
【図６】本発明のヒンジ機構を構成する第２の部材の形状を示す図である。
【図７】本発明のヒンジ機構と原稿押え装置の連結を説明するための斜視図である。
【図８】本発明のヒンジ機構と原稿押え装置の連結を説明するための平面図である。
【図９】本は発明のヒンジ機構を用いた原稿押え装置の開閉時の動作を説明する図である。
【図１０】本は発明のヒンジ機構を用いた原稿押え装置の厚い原稿の場合の状態を示した図である。
【符号の説明】
２    画像読取り部
３    コンタクトガラス
４    原稿押え装置
５    安全スイッチ
１０    ハウジング
１２    原稿搬送手段
２１    支持部材
２２    連結部材
３０，３１、３２    リブ
３３    リブ、検知片
３５    軸
３７    突起
【図１】
0003721324.tif 000002
【図２】
0003721324.tif 000003
【図３】
0003721324.tif 000004
【図４】
0003721324.tif 000005
【図５】
0003721324.tif 000006
【図６】
0003721324.tif 000007
【図７】
0003721324.tif 000008
【図８】
0003721324.tif 000009
【図９】
0003721324.tif 000010
【図１０】
0003721324.tif 000011